(57)【要約】【課題】煩雑性を伴うことなく短時間で多数の単語を記憶させることができるようにする。【解決手段】ユーザーが文字キーを操作して文字を入力した後実行キーを操作すると、ステップＢ１→Ｂ３→Ｂ４と進んで、入力文字に対応した単語を辞書ＲＯＭにてサーチする。そして、対応する単語が辞書ＲＯＭに存在するか否かを判別し（ステップＢ５）、存在する場合には、単語に対応したデータを辞書ＲＯＭから読み出して表示する。次に、この辞書ＲＯＭから読み出したデータに例文があるか否かを判別し（ステップＢ７）、例文がある場合には、単語帳作成処理（ステップＢ８）を行って、例文を構成する各単語を単語帳レジスタに記憶させる。【選択図】図３
2004005762.tif 000002
【特許請求の範囲】
【請求項１】
　単語を入力する入力手段と、
　この入力手段により入力された単語に関する文を予め定められた検索対象にて検索する検索手段と、
　この検索手段により検索された前記文のなかから当該文を構成する単語を抽出する抽出手段と、
　この抽出手段により抽出された単語を記憶する記憶手段と、
　を備えたことを特徴とする単語データ記憶装置。
【請求項２】
　辞書を記憶してなる辞書手段と、
　単語を入力する入力手段と、
　この入力された単語に関する事項を前記辞書手段にて検索する検索手段と、
　この検索手段により検索された当該単語に関する事項から単語を抽出する抽出手段と、
　この抽出手段により抽出された前記単語を記憶する記憶手段と、
　を備えたことを特徴とする単語データ記憶装置。
【請求項３】
　辞書を記憶してなる辞書手段と、
　単語を入力する入力手段と、
　この入力された単語に関する事項を前記辞書手段にて検索する第１の検索手段と、
　この第１の検索手段により検索された単語に関する事項から単語を抽出する抽出手段と、
　この抽出手段により抽出された前記単語を記憶する記憶手段と、
　この記憶手段に記憶された単語を操作に応じて読み出す読出手段と、
　この読出手段により読み出された単語に関する事項を前記辞書手段にて検索して出力する第２の検索手段と、
　を備えたことを特徴とする単語データ記憶装置。
【請求項４】
　前記各検索手段の検索情報を表示する表示手段を更に有することを特徴とする請求項１、２又は３記載の単語データ記憶装置。
【請求項５】
　前記抽出手段は、前記単語に関する事項の例文から単語を抽出することを特徴とする請求項２又は３記載の単語データ記憶装置。
【請求項６】
　前記抽出手段は、予め決定されている品詞以外の品詞の単語を抽出することを特徴とする請求項１、２又は３記載の単語データ記憶装置。
【請求項７】
　単語を指定する指定手段を更に有し、前記抽出手段はこの指定手段により指定された単語のみを抽出することを特徴とする請求項１、２又は３記載の単語データ記憶装置。
【請求項８】
　単語の品詞を選択する選択手段を更に有し、前記抽出手段はこの選択手段により選択された品詞の単語のみを抽出することを特徴とする請求項１、２又は３記載の単語データ記憶装置。
【請求項９】
　前記辞書手段は、英和辞書を記憶してなり、前記記憶手段は前記単語をアルファベット順に記憶することを特徴とする請求項１、２又は３記載の単語データ記憶装置。
【請求項１０】
　コンピュータを、
　入力された単語に関する文を予め定められた検索対象にて検索する検索手段、
　この検索手段により検索された前記文のなかから当該文を構成する単語を抽出する抽出手段、
　この抽出手段により抽出された単語を記憶する記憶手段、
　として機能させるためのプログラムを記録したことを特徴とする記録媒体。
【請求項１１】
　コンピュータを、
　入力された単語に関する事項を予め記憶されている辞書データにて検索する検索手段、
　この検索手段により検索された当該単語に関する事項から単語を抽出する抽出手段、
　この抽出手段により抽出された前記単語を記憶する記憶手段、
　として機能させるためのプログラムを記録したことを特徴とする記録媒体。
【請求項１２】
　コンピュータを、
　入力された単語に関する事項を予め記憶されている辞書データにて検索する第１の検索手段、
　この第１の検索手段により検索された単語に関する事項のなかから単語を抽出する抽出手段、
　この抽出手段により抽出された前記単語を記憶する記憶手段、
　この記憶手段に記憶された単語を操作に応じて読み出す読出手段、
　この読出手段により読み出された単語に関する事項を予め記憶されている辞書データにて検索して出力する第２の検索手段、
　として機能させるためのプログラムを記録したことを特徴とする記録媒体。
【請求項１３】
　単語を入力する入力ステップと、
　この入力ステップにより入力された単語に関する文を所定の検索対象にて検索する検索ステップと、
　この検索ステップにより検索された前記文を構成する単語を抽出する抽出ステップと、
　この抽出ステップにより抽出された単語を記憶する記憶ステップと、
　からなることを特徴とする単語データ記憶方法。
【請求項１４】
　単語を入力する入力ステップと、
　この入力ステップにより入力された単語に関する事項を所定の辞書手段にて検索する検索ステップと、
　この検索ステップにより検索された当該単語に関する事項から単語を抽出する抽出ステップと、
　この抽出ステップにより抽出された前記単語を記憶する記憶ステップと、
　からなることを特徴とする単語データ記憶方法。
【請求項１５】
　単語を入力する入力ステップと、
　この入力ステップにより入力された単語に関する事項を所定の辞書手段にて検索する第１の検索ステップと、
　この第１の検索ステップにより検索された単語に関する事項から単語を抽出する抽出ステップと、
　この抽出ステップにより抽出された前記単語を記憶する記憶ステップと、
　この記憶ステップにより記憶された単語を操作に応じて読み出す読出ステップと、
　この読出ステップにより読み出された単語に関する事項を所定の辞書手段にて検索して出力する第２の検索ステップと、
　を備えたことを特徴とする単語データ記憶方法。
【発明の詳細な説明】
【技術分野】
【０００１】
　本発明は、単語帳に相当するデータの収集機能を有する単語データ記憶装置及び該単語データ記憶装置としてコンピュータを機能させる記録媒体に関する。
【背景技術】
【０００２】
　従来、電子手帳等の電子機器においては、単語帳機能を有したものが知られている。この単語帳機能を有する電子機器においては、登録させたい英単語をキー操作によりアルファベット入力すると、この入力された英単語が所定の単語帳メモリにされる。そして、学習時に所定の操作を行うとこの単語帳メモリに記憶された英単語が読み出され、その意味とともに表示される。
【発明の開示】
【発明が解決しようとする課題】
【０００３】
　しかしながら、従来の単語帳機能を有する電子機器にあっては、単語帳メモリに単語を登録させる際には、その都度キー操作を行って単語を構成するアルファベットを入力しなければならない。したがって、その作業が煩雑であり、単語帳として機能し得る多数の単語の登録を完了するまでには、長大な時間を要してしまう。
【０００４】
　本発明は、このような従来の課題に鑑みてなされたものであり、煩雑性を伴うことなく短時間で多数の単語を記憶させることのできる単語データ記憶装置、単語データ記憶方法及びコンピュータを該単語データ記憶装置として機能させることのできる記録媒体を提供することを目的とするものである。
【課題を解決するための手段】
【０００５】
　前記課題を解決するために本発明の単語データ記憶装置にあっては、単語を入力する入力手段と、この入力手段により入力された単語に関する文を予め定められた検索対象にて検索する検索手段と、この検索手段により検索された前記文のなかから当該文を構成する単語を抽出する抽出手段と、この抽出手段により抽出された単語を記憶する記憶手段とを備えている。かかる構成において、入力手段により単語を入力すると、検索手段は英和辞書等の予め定められた検索対象から、入力された単語に関する文を検索する。すると、抽出手段がこの検索された文内に存在する単語を抽出し、記憶手段はこの抽出された単語を記憶する。したがって、入力手段により一つの単語を入力することにより、前記文を構成する複数の単語を記憶手段に記憶させることができる。
【０００６】
　また、本発明の他の構成にかかる単語データ記憶装置にあっては、辞書を記憶してなる辞書手段と、単語を入力する入力手段と、この入力された単語に関する事項を前記辞書手段にて検索する検索手段と、この検索手段により検索された当該単語に関する事項から単語を抽出する抽出手段と、この抽出手段により抽出された前記単語を記憶する記憶手段とを備えている。かかる構成において、入力手段により単語を入力すると、検索手段は辞書手段から、入力された単語に関する事項を検索する。すると、抽出手段がこの検索された事項から単語を抽出し、記憶手段はこの抽出手段により抽出された単語を記憶する。したがって、入力手段によって一つの単語を入力することにより、この単語に関する事項を構成する複数の単語を記憶手段に記憶せることができる。
【０００７】
　また、本発明の他の構成にかかる単語データ記憶装置にあっては、辞書を記憶してなる辞書手段と、単語を入力する入力手段と、この入力された単語に関する事項を前記辞書手段にて検索する第１の検索手段と、この第１の検索手段により検索された単語に関する事項から単語を抽出する抽出手段と、この抽出手段により抽出された前記単語を記憶する記憶手段と、この記憶手段に記憶された単語を操作に応じて読み出す読出手段と、この読出手段により読み出された単語に関する事項を前記辞書手段にて検索して出力する第２の検索手段とを備えている。
【０００８】
　かかる構成において、入力手段により単語を入力すると、第１の検索手段は辞書手段から、入力された単語に関する事項を検索する。すると、抽出手段がこの検索された事項から単語を抽出し、記憶手段はこの抽出手段により抽出された単語を記憶する。したがって、入力手段により一つの単語を入力することにより、この単語に関する事項を構成する複数の単語が記憶手段に記憶される。また、このように記憶手段に複数の単語が記憶されている状態において、操作を行うと読出手段が操作に応じて単語を読み出し、第２の検索手段がこの単語に関する事項を辞書手段にて検索して出力する。つまり、記憶手段への記憶により単語帳の各頁の表側に単語を書き込んだのと同様に機能し、第２の検索手段がこの記憶された単語に関する事項を出力することにより、単語帳の各頁の裏側に記載された意味等を見ることと同様に機能することとなる。
【０００９】
　また、前記各検索手段の検索情報を表示する表示手段を更に有することにより、完全に単語帳機能を有するものとなる。また、前記抽出手段が、前記単語に関する事項の例文から単語を抽出することにより、例文には入力した単語が必ず存在することから、入力した単語を必ず記憶できるとともに、関連した単語を記憶することができる。さらに、前記抽出手段が、予め決定されている品詞以外の品詞の単語を抽出することにより、無用な単語の記憶が回避される。また、単語を指定する指定手段を更に有し、前記抽出手段はこの指定手段により指定された単語のみを抽出することにより、使用者の所望する単語のみの記憶が可能となる。また、単語の品詞を選択する選択選択を更に有し、前記抽出手段はこの選択手段により選択された品詞の単語のみを抽出することにより、品詞別の単語帳の如き機能が発生する。また、前記辞書手段が、英和辞書を記憶してなり、前記記憶手段が前記単語をアルファベット順に記憶することにより、単語帳として使い易い形態で単語が記憶される。
【００１０】
　他方、本発明の記録媒体にあっては、コンピュータを、入力された単語に関する文を予め定められた検索対象にて検索する検索手段、この検索手段により検索された前記文のなかから当該文を構成する単語を抽出する抽出手段と、この抽出手段により抽出された単語を記憶する記憶手段として機能させるためのプログラムを記録してある。よって、この記録媒体を用いてコンピュータを動作させると、一つの単語を入力することにより、前記文を構成する複数の単語を記憶手段に記憶せることができる。
【００１１】
　また、本発明の他の構成にかかる記憶媒体にあっては、コンピュータを、入力された単語に関する事項を予め記憶されている辞書手段にて検索する検索手段、この検索手段により検索された当該単語に関する事項から単語を抽出する抽出手段、この抽出手段により抽出された前記単語を記憶する記憶手段として機能させるためのプログラムを記録してなる。したがって、この記録媒体を用いてコンピュータを動作させることにより、一つの単語を入力することのみによって、当該単語に関する事項を構成する複数の単語を記憶手段に記憶せることができる。
【００１２】
　さらに、本発明の他の構成にかかる記憶媒体にあっては、コンピュータを、入力された単語に関する事項を予め記憶されている辞書データにて検索する第１の検索手段、この第１の検索手段により検索された単語に関する事項のなかから単語を抽出する抽出手段、この抽出手段により抽出された前記単語を記憶する記憶手段、この記憶手段に記憶された単語を操作に応じて読み出す読出手段、この読出手段により読み出された単語に関する事項を前記辞書手段にて検索して出力する第２の検索手段として機能させるためのプログラムを記録してなる。したがって、この記録媒体を用いてコンピュータを動作させることにより、前述した単語データ記憶装置と同様に、記憶手段への記憶により単語帳の各頁の表側に単語を書き込んだのと同様に機能し、第２の検索手段がこの記憶された単語に関する事項を出力することにより、単語帳の各頁の裏側に記載された意味等を見ることと同様に機能する。
【００１３】
　また、前記単語に関する事項の例文から単語を抽出させることにより、前述と同様に、入力した単語を必ず記憶できるとともに、関連した単語を記憶することができる。さらに、前記抽出手段が、予め決定されている品詞以外の品詞の単語を抽出することにより、無用な単語の記憶が回避される。また、単語を指定する指定手段を更に有し、前記抽出手段はこの指定手段により指定された単語のみを抽出することにより、使用者の所望する単語のみの記憶が可能となる。また、単語の品詞を選択する選択選択を更に有し、前記抽出手段はこの選択手段により選択された品詞の単語のみを抽出することにより、品詞別の単語帳の如き機能が発生する。また、前記辞書手段が、英和辞書を記憶してなり、前記記憶手段が前記単語をアルファベット順に記憶することにより、単語帳として使い易い形態で単語を記憶させ得る。
【００１４】
　また、本発明の単語データ記憶方法にあっては、単語を入力する入力ステップと、この入力ステップにより入力された単語に関する文を所定の検索対象にて検索する検索ステップと、この検索ステップにより検索された前記文を構成する単語を抽出する抽出ステップと、この抽出ステップにより抽出された単語を記憶する記憶ステップとからなる。かかる構成において、入力ステップにて単語を入力すると、検索ステップにて英和辞書等の所定の検索対象から、入力された単語に関する文を検索する。すると、抽出ステップでこの検索された文内に存在する単語を抽出し、記憶ステップではこの抽出された単語を記憶する。したがって、入力ステップにより一つの単語を入力することにより、前記文を構成する複数の単語を記憶ステップに記憶させることができる。
【００１５】
　また、本発明の他の構成にかかる単語データ記憶方法にあっては、単語を入力する入力ステップと、この入力ステップにより入力された単語に関する事項を所定の辞書手段にて検索する検索ステップと、この検索ステップにより検索された当該単語に関する事項から単語を抽出する抽出ステップと、この抽出ステップにより抽出された前記単語を記憶する記憶ステップとからなる。かかる構成において、入力ステップにて単語を入力すると、検索ステップで辞書手段から、入力された単語に関する事項を検索する。すると、抽出ステップにてこの検索された事項から単語を抽出し、記憶ステップではこの抽出ステップにより抽出された単語を記憶する。したがって、入力ステップによって一つの単語を入力することにより、この単語に関する事項を構成する複数の単語を記憶ステップに記憶せることができる。
【００１６】
　さらに、本発明にかかる単語データ記憶方法にあっては、単語を入力する入力ステップと、この入力ステップにより入力された単語に関する事項を所定の辞書手段にて検索する第１の検索ステップと、この第１の検索ステップにより検索された単語に関する事項から単語を抽出する抽出ステップと、この抽出ステップにより抽出された前記単語を記憶する記憶ステップと、この記憶ステップにより記憶された単語を操作に応じて読み出す読出ステップと、この読出ステップにより読み出された単語に関する事項を所定の辞書手段にて検索して出力する第２の検索ステップとを備えている。かかる構成において、入力ステップにより単語を入力すると、第１の検索ステップでは辞書手段で入力された単語に関する事項を検索する。すると、抽出ステップがこの検索された事項から単語を抽出し、記憶ステップではこの抽出ステップにより抽出された単語を記憶する。したがって、入力ステップにより一つの単語を入力することにより、この単語に関する事項を構成する複数の単語が記憶ステップに記憶される。また、このように記憶ステップに複数の単語が記憶されている状態において、操作を行うと読出ステップが操作に応じて単語を読み出し、第２の検索ステップでこの単語に関する事項を辞書手段にて検索して出力する。つまり、記憶ステップでの記憶により単語帳の各頁の表側に単語を書き込んだのと同様に機能し、第２の検索ステップでこの記憶された単語に関する事項を出力することにより、単語帳の各頁の裏側に記載された意味等を見ることと同様に機能することとなる。
【発明の効果】
【００１７】
　以上説明したように本発明は、入力された単語に関する文を検索して、この検索された文を構成する単語を記憶するようにしたことから、一つの単語を入力することにより、前記文を構成する複数の単語を記憶手段に記憶させることができ、多数の単語の登録を完了するまで要する時間を大幅に短縮することができる。
【００１８】
　また、入力された単語に関する事項を辞書手段にて検索し、検索された当該単語に関する事項を構成する単語を記憶手段に記憶させるようにしたことから、多数の単語の登録を完了するまで要する時間を大幅に短縮しつつ、入力した単語と関連のある単語を記憶手段に記憶せることができる。
【００１９】
　また、記憶手段に記憶された単語を操作に応じて読み出し、この読み出された単語に関する事項を前記辞書手段にて検索して出力する構成により、さらに単語に関する事項の書き込み操作を伴うことなく、単語帳機能を発生させることができる。また、検索情報を表示する表示手段を更に有することにより、他の機器への接続を伴うことなく完全に単語帳機能を発生させることができ、単語に関する事項の例文から単語を抽出することにより、例文には入力した単語が必ず存在することから、入力した単語を必ず記憶できるとともに、関連した単語を記憶することができ、その結果、学習に好適な単語群の記憶が可能となる。
【００２０】
　また、予め決定されている品詞以外の品詞の単語を抽出することにより、無用な単語の記憶を回避して効率的な記憶が可能となり、指定手段により指定された品詞の単語のみを抽出して記憶することにより、使用者の所望する単語のみを短時間で記憶させることができる。また、単語の品詞を選択可能とし、この選択された品詞の単語のみを抽出して記憶することにより、品詞別の単語帳の如く学習効果の高い記憶状態を形成することができる。加えて、単語をアルファベット順に記憶することにより、単語帳として使い易い形態く学習し易い形態での記憶が可能となる。
【発明を実施するための最良の形態】
【００２１】
　以下、本発明の一実施の形態を図に従って説明する。この実施の形態は、本発明を電子手帳に適用したものであって、図１に示すように、この電子手帳のキー入力部１には、メニューキー２、選択キー３、実行キー４、入力キー５、左右上下各矢印キー６Ｌ，６Ｒ，６Ｕ，６Ｄ、上カーソルキー７Ｕと下カーソルキー７Ｄ、及び数字キー及びアルファベットキー等で構成される複数の文字キー８が設けられており、これらキー２〜８の操作情報は、ＣＰＵ９に入力される。ＣＰＵ９は、これら入力情報とＲＡＭ１０に記憶される情報、及びＲＯＭ１１に記憶に記憶されているプログラム等に基づいて動作することにより、本実施の形態において、コンピュータ、検索手段、抽出手段、読出手段等を構成するものであって、この電子手帳において必要となる全ての処理を実行する。また、表示駆動回路１３は、ＣＰＵ９からの指示に従って動作し表示部１３を駆動する。辞書手段としての辞書ＲＯＭ１４は、英和辞書部と和英辞書部とが設けられている。英和辞書部においてはアルファベット順に英単語が記憶されているともに、各英単語毎にその意味、例文等の当該単語に関する事項が記憶され、各単語にはその品種を示す識別データが付加されている。さらに、これら各単語と当該単語に関する事項とは、シリアルなアドレス毎に記憶されており、よって、各単語と当該単語に関する事項とは、アルファベット順であってアドレス順に記憶されている。
【００２２】
　記憶手段としてのＲＡＭ１０には、表示部１３に表示させるデータを一時的に格納する表示レジスタ１５、モードの状態を示すフラグＭ、及び単語帳レジスタ１６等が設けられている。この単語帳レジスタ１６には、アドレスデータ記憶エリア１６ａが設けられており、このアドレスデータ記憶エリア１６ａには単語帳レジスタ１６に記憶すべき単語の、前記辞書ＲＯＭ１４におけるアドレスが記憶される。つまり、単語帳レジスタ１６には、単語そのものが記憶されるのではなく、当該単語の辞書ＲＯＭ１４におけるアドレスのみが記憶される。また、品詞識別データ記憶エリア１７には、後述する第３の実施の形態において選択された品詞を示す品詞識別データが記憶される。
【００２３】
　また、記憶媒体読み取り部１８は、例えばＲＯＭカードやＲＡＭカードあるいはＲＯＭディスクやＲＡＭディスク等の各種の入れ替え可能な記録媒体１９の読み取りを行うものであり、この記録媒体読み取り部１８により読み取られる各種の記録媒体１９に記録されているデータとしては、例えば前記ＲＯＭ１１に記録されているプログラムと同様のプログラムであり、ＣＰＵ９は、この記録媒体読み取り部１８により読み取られたプログラムデータによっても各種の辞書モード処理を実行可能に構成される。
【００２４】
　次に、以上の構成にかかる本実施例の動作について、ＲＯＭ１１に格納されているプログラムの概要を示したフローチャートに従って説明する。すなわち、ＣＰＵ９は、電源の投入に伴って図２に示すメインフローに従って動作を開始して、メニューキー２が操作されているか否かを判別し（ステップＡ１）、操作されているならばメニュー表示を行う（ステップＡ２）。このステップＡ２の処理により、表示部１３には、図６（ａ）に示すように、「英和」「和英」「単語帳」の各アイコンからなるメニューが表示される。
【００２５】
　また、メニューキー２が操作されていない場合にはメニュー表示中か否か、つまり表示部１３が図６（ａ）の状態になっているか否かを判別し（ステップＡ３）、メニュー表示中であるならば、メニュー選択処理を実行する（ステップＡ４）。このメニュー選択処理は、左右矢印キー６Ｌ，６Ｒの操作に応じて次のメニューの位置に、図６（ａ）に示した反転表示３０を移動させる処理である。なお、この反転表示３０は、同図に示すように、メニューキー２を操作した直後においては「英和」上に表示される。
【００２６】
　そして、このステップＡ４の処理を行ったならば、実行キー４が操作されたか否かを判別し（ステップＡ５）、実行キー４が操作されたならば、その時点で反転表示３０がなされているメニューを選択モードとして設定する（ステップＡ６）。したがって、図示のように、「英和」に反転表示３０を合致させた状態で、実行キー４が操作された場合には、英和モードが設定されることとなり、他のメニューに反転表示３０を合致させた状態で、実行キー４が操作された場合には、当該他のメニューのモードが設定されることとなる。
【００２７】
　このステップＡ６の処理が行われることにより、メニュー表示中の状態からモードが設定済みの状態に移行すると、リターン後再度処理が実行された際、ステップＡ１→Ａ３→Ａ７と進んで、設定されているモードが和英モードであるか否かを判別し（ステップＡ７）、和英モードである場合には、所定の和英処理を開始する（ステップＡ８）。また、設定されているモードが英和モードである場合には（ステップＡ９がＹＥＳ）、後述する和英処理を開始し（ステップＡ１０）、よって、図６（ａ）に示すように、反転表示部３０を「英和」に合致させた状態で、同図（ｂ）に示すように実行キー４を操作すると、英和処理が開始されて、「単語入力」の文字とともにカーソルＣが表示部１３に表示される。また、設定されたモードが単語帳モードである場合には（ステップＡ１１がＹＥＳ）、後述する単語帳処理を実行し（ステップＡ１２）、設定されたモードが、和英、英和、単語帳のいずれのモードでもなかった場合には（ステップＡ７，Ａ９，Ａ１１が全てＮＯ）、その他の処理を実行する。
【００２８】
　英和処理（ステップＡ１０）は、図３に示すフローに従って行われ、文字入力があったか否かを判別する（ステップＢ１）。そして、ユーザーが日本語の意味を調べるべく、文字キー８を操作して任意のアルファベットを入力すると、入力された英文字を表示部１３に表示させる（ステップＢ２）。したがって、図６（ｃ）に示すように、文字キー８にて「Ｇ」「Ｏ」と入力すると、表示部１３には「ＧＯ」の単語が表示されることとなる。この単語を入力した後、実行キー４を操作すると、ステップＢ１→Ｂ３→Ｂ４と進んで、入力文字に対応した単語を辞書ＲＯＭ１４にてサーチする（ステップＢ４）。この辞書ＲＯＭ１４でのサーチに基づき、対応する単語が辞書ＲＯＭ１４の英和辞典内に存在するか否かを判別し（ステップＢ５）、存在する場合には、単語に対応したデータを辞書ＲＯＭ１４から読み出して表示部１３に表示する。したがって、図６（ｃ）（ｄ）に示すように、文字キー８にて「Ｇ」「Ｏ」と入力した後、実行キー４を操作すると、ステップＢ６の処理により、「ＧＯ」に対応したデータである「動　行く　I went for a walk with me.」が表示部１３に表示される。次に、この辞書ＲＯＭ１４から読み出したデータに例文があるか否かを判別する（ステップＢ７）。そして、この図６（ｄ）に示した場合のように、例文「I went for a walk with me.」がある場合には、後述する単語帳作成処理（ステップＢ８）を行い、例文がない場合にはこの単語帳作成処理を行うことなく、英和処理を終了する。
【００２９】
　また、ステップＢ５での判別の結果、入力された英文字に対応する単語が辞書ＲＯＭ１４の英和辞書内に存在しない場合には、該英和辞書内から類似後を読み出してこれを表示する（ステップＢ９）。さらに、文字キー８と実行キー４との操作を行うことなく、上下カーソルキー７Ｕ，７Ｄを操作した場合には、ステップＢ１→Ｂ３→Ｂ１０→Ｂ１１と進んで、操作された上下カーソルキー７Ｕ，７Ｄに応じて次又は前のアドレスを指定し（ステップＢ１１）、この指定したアドレスに対応した単語を表示する。すなわち、前述したように、辞書ＲＯＭ１４の英和辞書部においては各英単語がアルファベット順であってアドレス順に記憶されていることから、上下カーソルキー７Ｕ，７Ｄの操作に伴ってアドレスが指定されることにより（ステップＢ１１）、順方向又は逆方向にアルファベット順でアドレスに対応した単語が表示されることとなる（ステップＢ１２）。無論、このようにステップＢ１２の処理により単語が表示された状態、若しくはステップＢ９の処理により類似後が表示された状態において、実行キー４を操作すれば、この英和処理が再度なされた際、ステップＢ３〜Ｂ８の処理が行われることとなり、単語に対応したデータが表示されるとともに、このデータ内に例文がある場合には、ステップＢ８の単語帳作成処理が実行されることとなる。
【００３０】
　この単語帳作成処理（ステップＢ８）は、図４に示すフローに従って行われ、先ず例文から１単語を読み出す（ステップＣ１）。したがって、前述した例文の場合、図６（ｅ）にカーソルＣで示すように、当該例文から先ず「Ｉ」が抽出されることとなる。次に、辞書ＲＯＭ１４のデータをサーチして（ステップＣ２）、「Ｉ」を検出した後、この「Ｉ」のデータが有している品詞識別データに基づき、その品詞が前置詞であるか否かを判別する（ステップＣ３）。この判別の結果、前置詞でない場合には、当該単語が変形か否かを判別し（ステップＣ４）、変形である場合には、原形に変更する（ステップＣ５）。したがって、前記例文において「ｗｅｎｔ」が読み出されている場合には、このステップＣ５の処理により、「ｗｅｎｔ」は「ＧＯ」に変更されることとなる。
【００３１】
　次に、この原形の単語が単語帳レジスタ１６に無いか否かを判別する（ステップＣ６）。このとき、単語帳レジスタ１６には前述のように各単語のアドレスデータのみが記憶されていることから、このアドレスデータを比較することにより、当該単語が単語帳レジスタ１６に既に記憶されているか否かを判別することができる。そして、このステップＣ６での判別の結果、単語帳レジスタ１６に当該単語が未だ記憶されていない場合、より詳しくは当該単語の辞書ＲＯＭ１４におけるアドレスが記憶されていない場合にのみ、単語帳レジスタ１６のアドレスデータ記憶エリア１６ａに、当該単語の辞書ＲＯＭ１４におけるアドレスを記憶する（ステップＣ７）。したがって、同一単語のアドレスが単語帳レジスタ１６に記憶されてしまうことがなく、重複記憶によるレジスタの無駄な使用を未然に防止することができる。
【００３２】
　そして、このようにして単語帳レジスタ１６への記憶処理を行ったならば、全データについて以上の処理が終了したか否か、つまり例文「I went for a walkwith me.」を構成する各単語について、以上の処理が終了したか否かを判別し（ステップＣ８）、終了するまでステップＣ１からの処理を繰り返す。これにより、例文を構成する各単語であって原形における辞書ＲＯＭ１４のアドレスが、その値の小さい順つまりはアルファベット順に、単語帳レジスタ１６に記憶されて行く。このとき、例文から読み出した単語の品詞が「前置詞」であった場合、この例文において「ｆｏｒ」が読み出された場合には、ステップＣ４〜Ｃ７の処理を行うことなく、ステップＣ３からステップＣ８に進む。したがって、記憶させて学習するまでもない簡単な単語である前置詞が単語帳レジスタ１６に記憶されてしまうことがなく、例文に用いられる簡単な単語により単語帳レジスタ１６が占有されてしまう不都合を防止することができる。無論、この実施の形態においては、前置詞を単語帳レジスタ１６への記憶から排除するようにしたが、他の品詞を排除するようにしてもよい。
【００３３】
　他方、図７（ａ）に示すように、メニューキー２を操作した後、左矢印キー６Ｒを２回押して、図６（ａ）に示した反転表示部３０を「単語帳」に合わせた後、実行キー４を操作すると単語帳モードが設定されて、前述のように図２のステップＡ１２で単語帳処理が実行されることとなる。この単語帳処理は、図５に示すフローに従って行われ、単語帳レジスタ１６に記憶されている先頭の単語を表示する（ステップＤ１）。すなわち、現時点で前記例文「I went for a walk with me.」に対してのみ、前述した図４の単語帳作成処理が行われていると仮定すると、「Ｉ」と「ｍｅ」は原形が同一であるから「Ｉ」のみが記憶され、「ｆｏｒ」は前置詞であるから記憶されないことにより、単語帳レジスタ１６には、７個の単語で構成される例文において５個の単語が記憶されている。また、これら単語は前述のようにアルファベット順に記憶されていることから、単語帳レジスタ１６には、「ａ」「ＧＯ」「Ｉ」「ＷＡＬＫ」「ＷＩＴＨ」の順で５個の単語がアドレスデータで記憶されている。したがって、ステップＤ１の処理が実行されることにより、図７（ａ）に示すように、表示部１３には「ａ」が表示される。
【００３４】
　次に、上下カーソルキー７Ｕ，７Ｄが操作されたか否かを判別し（ステップＤ２）、操作されたならば操作されたカーソルキー７Ｕ，７Ｄの方向に応じて次又は前の単語を単語帳レジスタ１６から読み出し（ステップＤ３）、これを表示部１３に表示した後（ステップＤ４）、ステップＤ２からの処理を繰り返す。したがって、図７（ｂ）に示すように、下カーソルキー７Ｄを１回操作すると、単語帳レジスタ１６にいおいて「ａ」の次に記憶されている「ＧＯ」が表示される。なお、このように単語帳レジスタ１６に記憶されている単語が読み出され表示された際には、図示のように表示部１３の右上に分数値（１／５、２／５）が表示されるが、この分数値は分母が単語帳レジスタ１６に記憶されている単語の数、分子が表示されている単語の単語帳レジスタ１６におけるアルファベット順位を示している。
【００３５】
　そして、このようにして単語帳レジスタ１６のうち任意の単語を表示部１３に表示させた後、上下カーソルキー７Ｕ，７Ｄを操作することなく、実行キー４を操作すると、ステップＤ２からの処理が繰り返された際、ステップＤ２→Ｄ５→Ｄ６と進んで、対応した単語の訳を表示する。すなわち、今表示部１３に表示させている単語のアドレスデータに基づき、辞書ＲＯＭ１４の英和辞書部において、対応するアドレスから当該単語に関する事項を読み出して、表示部１３に表示する。このステップＤ６の処理により、図７（ｃ）に示すように、「ＧＯ」の意味はその例文が表示部１３に表示されることとなる。したがって、ユーザーが単語帳モードにおいて、単語帳レジスタ１６に記憶させてある単語を表示させた後、この表示させた単語の意味や例文を考え、その後実行キー４を操作して正解である当該単語の意味等を表示させることにより、通常の単語帳を用いた場合と同様の学習を行うことができる。
【００３６】
　図８は、本発明の他の実施の形態における単語帳作成処理（ステップＢ８）の処理手順を示すものである。すなわち、先ず表示されている例文の先頭単語にカーソルを表示し（ステップＥ１）、このステップＥ１の処理により図６（ｅ）に示すように、この例文において「Ｉ」の下にカーソルＣが表示されることとなる。次に、左右矢印キー６Ｌ，６Ｒが操作されたか否かを判別し（ステップＥ２）、操作されたならば操作された矢印キー６Ｌ，６Ｒの方向に応じて、次又は前の単語にカーソルＣを移動させた後、ステップＥ２からの処理を繰り返す。したがって、左右矢印キー６Ｌ，６Ｒを操作することにより、例文において所望の単語の下にカーソルＣを移動させることができる。
【００３７】
　そして、例文において所望の単語の下にカーソルＣを移動させた後、入力キー５を操作すると、ステップＥ２→Ｅ４→Ｅ５と進むこととなり、カーソル位置の単語を読み出し（ステップＥ５）、この単語を辞書ＲＯＭ１４のデータにてサーチする（ステップＥ６）。次に、前述した第１の実施の形態と同様に、このサーチした単語が変形か否かを判別し（ステップＥ７）、変形である場合には、原形に変更する（ステップＥ８）。次に、この原形の単語が単語帳レジスタ１６に無いか否かを判別し（ステップＥ９）、単語帳レジスタ１６に当該単語が未だ記憶されていない場合にのみ、単語帳レジスタ１６のアドレスデータ記憶エリア１６ａに、当該単語の辞書ＲＯＭ１４におけるアドレスを記憶し（ステップＥ１０）、ステップＥ２からの処理を繰り返す。
【００３８】
　そして、左右矢印キー６Ｌ，６Ｒと入力キー５の何れも操作されず、他のキーが操作された場合には、この単語帳作成処理を終了してステップＥ１１から、他の処理に移行する。したがって、この実施の形態においては、表示された例文を構成する単語のうち、指定した任意の数の単語を単語帳レジスタ１６に登録させることができる。また、例文が表示されても、１度も入力キー５を操作せずに、他のキーを操作すれば、例文中の何れの単語も単語帳レジスタ１６には記憶されない。したがって、ユーザーは自分の語学力との関係で学習に必要ならば単語のみを選択して単語帳レジスタ１６に登録することができ、これにより単語帳レジスタ１６の記憶内容を当該ユーザーにあったものにすることができる。
【００３９】
　図９は、本発明の第３の実施の形態におけるメインフローを示すものであり、このフローにおいてステップＦ１〜Ｆ１２は、前述した実施の形態における図２のステップＡ１〜Ａ１２の処理と同一である。そして、ステップＡ１〜Ａ１２の処理とは異なるステップＦ１３においては、選択キー３が操作されたか否かを判別する。そして、選択キー３が操作された場合には、後述する品詞選択処理（ステップＦ１４）を開始し、操作されない場合には他の処理に移行する。
【００４０】
　この品詞選択処理が開始されると、ＣＰＵ９は、図１０（ａ）に示すように、表示部１３に「名詞、代名詞、動詞、・・・」を表示し、且つ所定の品詞を取り囲む枠３１を表示させるとともに、下部に選択された品詞の頭文字を表示するための「選択」の欄を表示させる。これと同時に、ＣＰＵ９は、図１１に示すフローに従って処理を開始し、選択処理（ステップＧ１）を実行する。この選択処理は、１又は２以上の所望の品詞を選択する処理であって、図１０（ｂ）（ｃ）に示すように、何れかの矢印キー６Ｌ，６Ｒ，６Ｕ，６Ｄの操作により枠３１を所望の品詞に移動させた後入力キー５を操作し、これにより、１又は２以上の所望の品詞が選択される。すなわち、図１０（ｂ）（ｃ）の場合、「代名詞」と「助動詞」が選択され、これにより、「選択」の欄には「代」と「助」が表示される。そして、かかる選択操作を行った後、実行キー４を操作すると、図１１のフローにおいて、ステップＧ１→Ｇ２→Ｇ３と進み、選択された品詞の識別データをＲＡＭ１０の品詞識別データ記憶エリア１７に記憶させる。
【００４１】
　また、この第３の実施の形態において、単語帳作成処理（ステップＢ８）は、図１２に示すフローに従って行われる。この図１２に示すフローのステップＨ１〜Ｈ８において、ステップＨ３を除く他のステップは、図４に示したフローのステップＣ３を除く他のステップと同一の処理である。そして、唯一異なるステップＨ３においては、例文から読み出した単語の品詞が選択された品詞であるか否か、つまり品詞識別データに記憶エリアに記憶された品詞識別データと同一の品詞識別データを有しているか否かを判別する。この判別の結果、両品詞識別データが一致するならば、ステップＨ４〜Ｈ７の処理を行い、不一致であるならば、これらの処理は行わない。したがって、この第３の実施の形態においては、例文を構成する単語において、予めユーザーが指定した１又は２以上の品詞の単語のみが単語帳レジスタ１６に記憶されることとなり、これにより単語帳レジスタ１６に記憶させる単語を所望の品詞のみに限定することができる。
【００４２】
　なお、この実施の形態においては、選択された１又は２以上の品詞に該当する単語を同一の単語帳レジスタ１６に記憶させるようにしたが、品詞毎の単語帳レジスタを設け、対応する品詞の単語を各単語帳レジスタに記憶させるようにしてもよい。
【図面の簡単な説明】
【００４３】
【図１】本発明の一実施の形態を適用した電子手帳の構成を示すブロック図である。
【図２】メインフローを示すフローチャートである。
【図３】英和処理の処理手順を示すフローチャートである。
【図４】単語帳作成処理の処理手順を示すフローチャートである。
【図５】単語帳処理の処理手順を示すフローチャートである。
【図６】単語帳作成処理における操作と表示部の変化との関係を示す図である。
【図７】単語帳処理における操作と表示部の変化との関係を示す図である。
【図８】本発明の他の実施の形態における単語帳作成処理の処理手順を示すフローチャートである。
【図９】本発明の他の実施の形態におけるメインフローを示すフローチャートである。
【図１０】選択処理における操作と表示部の変化との関係を示す図である。
【図１１】品詞選択処理の処理手順を示すフローチャートである。
【図１２】本発明の他の実施の形態における単語帳作成処理の処理手順を示すフローチャートである。
【符号の説明】
【００４４】
３　選択キー
５　入力キー
９　ＣＰＵ
１３　表示部
１４　辞書ＲＯＭ
１６　単語帳レジスタ
【図１】
2004005762.tif 000003
【図２】
2004005762.tif 000004
【図３】
2004005762.tif 000005
【図４】
2004005762.tif 000006
【図５】
2004005762.tif 000007
【図６】
2004005762.tif 000008
【図７】
2004005762.tif 000009
【図８】
2004005762.tif 000010
【図９】
2004005762.tif 000011
【図１０】
2004005762.tif 000012
【図１１】
2004005762.tif 000013
【図１２】
2004005762.tif 000014
【手続補正書】
【提出日】平成15年10月28日(2003.10.28)
【手続補正１】
【補正対象書類名】特許請求の範囲
【補正対象項目名】全文
【補正方法】変更
【補正の内容】
【特許請求の範囲】
【請求項１】
　各単語毎に意味、例文等の当該各単語に関する事項を記憶してなる辞書記憶手段と、
　単語を入力する入力手段と、
　この入力手段により入力された単語に関する事項を前記辞書記憶手段から検索する検索手段と、
　この検索手段により検索された単語に関する事項を表示させる制御を行う表示制御手段と、
　この表示制御手段により表示された単語に関する事項から単語を抽出する抽出手段と、
　この抽出手段により抽出された単語が、変形か否かを判別する抽出単語判別手段と、
　この抽出単語判別手段により前記抽出された単語が変形であると判別された場合に、前記抽出された単語を原形に変更する原形変更手段と、
　この原形変更手段により原形に変更された単語を記憶する単語記憶手段と、
　を有する単語データ記憶装置。
【請求項２】
　さらに、
　前記単語記憶手段により記憶された単語に関する事項を前記辞書記憶手段から読み出して表示させる制御を行う原型表示制御手段を有する請求項１記載の単語データ記憶装置。
【請求項３】
　例文を表示させる制御を行う例文表示制御手段と、
　この例文表示制御手段により表示された例文からいずれかの単語を指定する指定手段と、
　この指定手段により指定された単語が、変形か否かを判別する指定単語判別手段と、
　この指定単語判別手段により前記指定された単語が変形であると判別された場合に、前記指定された単語を原形に変更する原形変更手段と、
　この原型変更手段により原型に変更された単語を記憶する単語記憶手段と
　を有する単語データ記憶装置。
【請求項４】
　コンピュータを、
　各単語毎に意味、例文等の当該各単語に関する事項を記憶してなる辞書記憶手段、
　単語を入力する入力手段、
　この入力手段により入力された単語に関する事項を前記辞書手段にて検索する検索手段、
　この検索手段により検索された単語に関する事項を表示させる制御を行う表示制御手段、
　この表示制御手段により表示された単語に関する事項から単語を抽出する抽出手段、
　この抽出手段により抽出された単語が、変形か否かを判別する抽出単語判別手段、
　この抽出単語判別手段により前記抽出された単語が変形であると判別された場合に、前記抽出された単語を原形に変更する単語原形変更手段、
　この単語原形変更手段により原形に変更された単語を記憶する単語記憶手段、
　として機能させるためのプログラムを記録したことを特徴とする記録媒体。
【請求項５】
　コンピュータを、
　例文を表示させる制御を行う例文表示制御手段、
　この例文表示制御手段により表示された例文からいずれかの単語を指定する指定手段、
　この指定手段により指定された単語が、変形か否かを判別する指定単語判別手段、
　この指定単語判別手段により前記指定された単語が変形であると判別された場合に、前記指定された単語を原形に変更する原形変更手段、
　この原型変更手段により原型に変更された単語を記憶する単語記憶手段、
　として機能させるためのプログラムを記録したことを特徴とする記録媒体。
【請求項６】
　単語を入力する入力ステップと、
　予め各単語毎に意味、例文等の当該各単語に関する事項を記憶してなる辞書から、この入力された単語に関する事項を検索する検索ステップと、
　この検索ステップにより検索された単語に関する事項を表示させる制御を行う表示制御ステップと、
　この表示制御ステップにより表示された単語に関する事項から単語を抽出する抽出ステップと、
　この抽出ステップにより抽出された単語が、変形か否かを判別する抽出単語判別ステップと、
　この抽出単語判別ステップにより前記抽出された単語が変形であると判別された場合に、前記抽出された単語を原形に変更する原形変更ステップと、
　この原形変更ステップにより原形に変更された単語を記憶する単語記憶ステップと、
　からなることを特徴とする単語データ記憶方法。
【請求項７】
　例文を表示させる制御を行う例文表示制御ステップと、
　この例文表示制御ステップにより表示された例文からいずれかの単語を指定する指定ステップと、
　この指定ステップにより指定された単語が、変形か否かを判別する指定単語判別ステップと、
　この指定単語判別ステップにより前記指定された単語が変形であると判別された場合に、前記指定された単語を原形に変更する原形変更ステップと、
　この原形変更ステップにより原形に変更された単語を記憶する単語記憶ステップと、
　からなることを特徴とする単語データ記憶方法。
【手続補正２】
【補正対象書類名】明細書
【補正対象項目名】０００１
【補正方法】変更
【補正の内容】
【０００１】
　本発明は、単語データの収集機能を有する単語データ記憶装置及び該単語データ記憶装置としてコンピュータを機能させる記録媒体に関する。
【手続補正３】
【補正対象書類名】明細書
【補正対象項目名】０００５
【補正方法】変更
【補正の内容】
【０００５】
　前記課題を解決するために本発明の単語データ記憶装置にあっては、各単語毎に意味、例文等の当該各単語に関する事項を記憶してなる辞書記憶手段と、単語を入力する入力手段と、この入力手段により入力された単語に関する事項を前記辞書記憶手段から検索する検索手段と、この検索手段により検索された単語に関する事項を表示させる制御を行う表示制御手段と、この表示制御手段により表示された単語に関する事項から単語を抽出する抽出手段と、この抽出手段により抽出された単語が、変形か否かを判別する抽出単語判別手段と、この抽出単語判別手段により前記抽出された単語が変形であると判別された場合に、前記抽出された単語を原形に変更する原形変更手段と、この原形変更手段により原形に変更された単語を記憶する単語記憶手段と、を備えている。かかる構成において、入力手段により単語を入力すると、検索手段は入力された単語に関する事項を前記辞書記憶手段から検索する。すると、表示制御手段は、この検索された単語に関する事項を表示させ、抽出手段がこの表示された事項から単語を抽出し、抽出単語判別手段は抽出された単語が、変形か否かを判別する。そして原形変更手段は、抽出された単語が変形であると判別された場合に、抽出された単語を原形に変更する。そして、単語記憶手段はこの原形に変更された単語を記憶する。したがって、入力手段により一つの単語を入力することにより、意味や例文等の単語に関する事項から単語抽出して、さらに単語が変形であると判別された場合に、適切に原形に変換して、単語記憶手段に記憶させることができる。
【手続補正４】
【補正対象書類名】明細書
【補正対象項目名】０００６
【補正方法】変更
【補正の内容】
【０００６】
　また、本発明の他の構成にかかる単語データ記憶装置にあっては、例文を表示させる制御を行う例文表示制御手段と、この例文表示制御手段により表示された例文からいずれかの単語を指定する指定手段と、この指定手段により指定された単語が、変形か否かを判別する指定単語判別手段と、この指定単語判別手段により前記指定された単語が変形であると判別された場合に、前記指定された単語を原形に変更する原形変更手段と、この原型変更手段により原型に変更された単語を記憶する単語記憶手段とを備えている。かかる構成において、例文を表示させて、表示された例文からいずれかの単語を指定すると、指定単語判別手段は、この指定手段により指定された単語が変形か否かを判別し、原形変更手段は指定された単語が変形であると判別された場合に前記抽出された単語を原形に変更する。そして、単語記憶手段は原型に変更された単語を記憶する。従って、例文中の所望の単語を指定して、変形であるかをチェックでき、さらに変形である場合に原形に変更して、適切な原形の単語をただちに記憶させることができる。
【手続補正５】
【補正対象書類名】明細書
【補正対象項目名】０００７
【補正方法】削除
【補正の内容】
【手続補正６】
【補正対象書類名】明細書
【補正対象項目名】０００８
【補正方法】削除
【補正の内容】
【手続補正７】
【補正対象書類名】明細書
【補正対象項目名】０００９
【補正方法】削除
【補正の内容】
【手続補正８】
【補正対象書類名】明細書
【補正対象項目名】００１０
【補正方法】削除
【補正の内容】
【手続補正９】
【補正対象書類名】明細書
【補正対象項目名】００１１
【補正方法】削除
【補正の内容】
【手続補正１０】
【補正対象書類名】明細書
【補正対象項目名】００１２
【補正方法】削除
【補正の内容】
【手続補正１１】
【補正対象書類名】明細書
【補正対象項目名】００１３
【補正方法】削除
【補正の内容】
【手続補正１２】
【補正対象書類名】明細書
【補正対象項目名】００１４
【補正方法】削除
【補正の内容】
【手続補正１３】
【補正対象書類名】明細書
【補正対象項目名】００１５
【補正方法】削除
【補正の内容】
【手続補正１４】
【補正対象書類名】明細書
【補正対象項目名】００１６
【補正方法】削除
【補正の内容】
【手続補正１５】
【補正対象書類名】明細書
【補正対象項目名】００１７
【補正方法】変更
【補正の内容】
【００１７】
　以上説明したように本発明によれば、入力手段により単語を入力すると、検索手段は入力された単語に関する事項を前記辞書記憶手段から検索し、表示制御手段は、この検索された単語に関する事項を表示させ、抽出手段がこの表示された事項から単語を抽出し、抽出単語判別手段は抽出された単語が、変形か否かを判別する。そして原形変更手段は、抽出された単語が変形であると判別された場合に、抽出された単語を原形に変更する。そして、単語記憶手段はこの原形に変更された単語を記憶する。したがって、入力手段により一つの単語を入力することにより、意味や例文等の単語に関する事項から単語抽出して、さらに単語が変形であると判別された場合に、適切に原形に変換して、単語記憶手段に記憶させることができる。
【手続補正１６】
【補正対象書類名】明細書
【補正対象項目名】００１８
【補正方法】変更
【補正の内容】
【００１８】
　また、本発明の他の構成にかかる単語データ記憶装置にあっては、例文を表示させて、表示された例文からいずれかの単語を指定すると、指定単語判別手段は、この指定手段により指定された単語が変形か否かを判別し、原形変更手段は指定された単語が変形であると判別された場合に前記抽出された単語を原形に変更する。そして、単語記憶手段は原型に変更された単語を記憶する。従って、例文中の所望の単語を指定して、変形であるかをチェックでき、さらに変形である場合に原形に変更して、適切な原形の単語をただちに記憶させることができるようになる。
【手続補正１７】
【補正対象書類名】明細書
【補正対象項目名】００１９
【補正方法】削除
【補正の内容】
【手続補正１８】
【補正対象書類名】明細書
【補正対象項目名】００２０
【補正方法】削除
【補正の内容】